(57)【要約】【課題】速やかに適任者に来てもらうことができるクリティカルコールシステムを提供すること。【解決手段】生体情報モニタ１００には、サポート要求ボタン１２５が設けられている。生体情報モニタ１００は、サポート要求ボタン１２５が操作されると、他の生体情報モニタにマルチキャスト送信する。これにより、緊迫して状況下にあるサポートを要求する側に煩雑な手間をかけさせることなく、速やかに適任者にサポートに来てもらうことができるクリティカルコールシステムを実現できる。【選択図】図１
2015029564.tif 000002
【特許請求の範囲】
【請求項１】
１つ或いは複数の生体情報モニタからなる生体情報モニタ群宛のサポート要求信号を形成して送信する送信部と、ユーザによる操作に応じて前記送信部から前記サポート要求信号を送信させる操作部と、を有する第１の生体情報モニタと、
前記第１の生体情報モニタから前記サポート要求信号を受信する受信部と、サポート要求があったことを表示する表示部と、を有する前記生体情報モニタ群と、
を有するクリティカルコールシステム。
【請求項２】
前記第１の生体情報モニタの前記操作部が操作された場合、
前記第１の生体情報モニタから前記生体情報モニタ群には、前記サポート要求信号として又は前記サポート要求信号に加えて、前記第１の生体情報モニタで計測された生体情報が送られる、
請求項１に記載のクリティカルコールシステム。
【請求項３】
前記生体情報モニタ群には、セントラルモニタが含まれており、
前記セントラルモニタは、前記第１の生体情報モニタから前記サポート要求信号を受信すると、前記第１の生体情報モニタから受信している、前記第１の生体情報モニタで計測された生体情報を、前記生体情報モニタ群に含まれる他の生体情報モニタに配信する、
請求項１に記載のクリティカルコールシステム。
【請求項４】
前記生体情報モニタ群には、さらに、前記第１の生体情報モニタが置かれている場所を特定可能な情報が送られる、
請求項１から請求項３のいずれか一項に記載のクリティカルコールシステム。
【請求項５】
前記第１の生体情報モニタは、
前記操作部が操作され、かつ、自装置で生体情報に関するアラームが出力されているときに、前記生体情報モニタ群に前記サポート要求信号を送信する、
請求項１から請求項４のいずれか一項に記載のクリティカルコールシステム。
【請求項６】
前記生体情報モニタ群には、
前記第１の生体情報モニタで計測された生体情報のうち、アラームされている生体情報のみが送られる、
請求項２に記載のクリティカルコールシステム。
【請求項７】
前記他の生体情報モニタには、
前記第１の生体情報モニタで計測された生体情報のうち、アラームされている生体情報のみが配信される、
請求項３に記載のクリティカルコールシステム。
【請求項８】
前記第１の生体情報モニタは、さらに、
前記生体情報モニタ群に、サポート催促動作を行わせるためのコントロール信号を送信する、
請求項１から請求項７のいずれか一項に記載のクリティカルコールシステム。
【請求項９】
１つ或いは複数の生体情報モニタからなる生体情報モニタ群宛のサポート要求信号を形成して送信する送信部と、
ユーザによる操作に応じて前記送信部から前記サポート要求信号を送信させる操作部と、
を具備する生体情報モニタ。
【請求項１０】
前記送信部は、前記操作部が操作された場合、前記生体情報モニタ群に、前記サポート要求信号として又は前記サポート要求信号に加えて、自装置で計測した生体情報を送信する、
請求項９に記載の生体情報モニタ。
【請求項１１】
複数の生体情報モニタに接続され、前記複数の生体情報モニタにより計測された生体情報を受信するセントラルモニタであって、
前記複数の生体情報モニタのうちの第１の生体情報モニタからサポート要求信号を受信した場合に、前記複数の生体情報モニタのうち前記第１の生体情報モニタを除く全て又は一部の生体情報モニタに前記サポート要求信号を送信する、
セントラルモニタ。
【請求項１２】
前記セントラルモニタは、前記第１の生体情報モニタを除く全て又は一部の生体情報モニタに、前記第１の生体情報モニタで計測された生体情報、及び又は、前記第１の生体情報モニタが置かれている場所を特定可能な情報を送信する、
請求項１１に記載のセントラルモニタ。
【発明の詳細な説明】
【技術分野】
【０００１】
本発明は、病院内で緊急時に医師や医療スタッフを呼び出すためのクリティカルコールシステム及びそれに用いられる生体情報モニタに関する。
【背景技術】
【０００２】
従来、病院内で、特定の医師や看護師などの医療スタッフ（以下、医師や医療スタッフのことを医療従事者と呼ぶ）を呼び出す方法として、全館放送を使って呼び出す方法や、ＰＨＳ（Personal Handy-phone System）により呼び出す方法、人手により特定の人を探して呼び出す方法などがある。また、患者が看護婦を呼び出すシステムとしては、ナースコールシステムがある（例えば特許文献１参照）。
【先行技術文献】
【特許文献】
【０００３】
【特許文献１】特開２００５−２６９２２７号公報
【発明の概要】
【発明が解決しようとする課題】
【０００４】
ところが、全館放送を使って呼び出す方法は、呼び出す度に館内に放送を流さなければならないので、患者などの第３者にとっては騒音となる。特に、規模が大きい病院に対しては、現実的な方法ではない。
【０００５】
また、ＰＨＳを用いて呼び出す方法は、医療従事者がＰＨＳ端末を携帯していることが前提となり、ＰＨＳ端末を携帯していない人を呼び出すことはできない。また、ＰＨＳ端末の電源がＯＦＦにされている場合には、緊急の呼び出しを行うことができないといった不都合がある。さらに、呼び出したい人が複数の人であった場合には、各人に電話をしなければならず、緊急時の呼び出しには不向きである。特に、呼び出しを行う人が、手術を行っている医師や救命処置中の医療従事者などのように手を離せない状況にある場合には、複数人に電話をかける時間を作ることは実際上困難である。
【０００６】
また、ナースコールシステムは、患者のベッドと、その患者を担当する看護師が常駐しているナースセンターや監視室などと、を専用回線で結んだものであり、特定の医療従事者を呼び出すことを目的としたシステム構成とはなっていない。
【０００７】
本発明は、以上の点を考慮してなされたものであり、上述した課題を一挙に解決して、速やかにサポートに適した医療従事者に来てもらうことができるクリティカルコールシステム及びそれに用いられる生体情報モニタを提供する。
【課題を解決するための手段】
【０００８】
本発明のクリティカルコールシステムの一つの態様は、
１つ或いは複数の生体情報モニタからなる生体情報モニタ群宛のサポート要求信号を形成して送信する送信部と、ユーザによる操作に応じて前記送信部から前記サポート要求信号を送信させる操作部と、を有する第１の生体情報モニタと、
前記第１の生体情報モニタから前記サポート要求信号を受信する受信部と、サポート要求があったことを表示する表示部と、を有する前記生体情報モニタ群と、
を有する。
【０００９】
本発明の生体情報モニタの一つの態様は、
１つ或いは複数の生体情報モニタからなる生体情報モニタ群宛のサポート要求信号を形成して送信する送信部と、
ユーザによる操作に応じて前記送信部から前記サポート要求信号を送信させる操作部と、
を具備する。
【００１０】
本発明のセントラルモニタの一つの態様は、
複数の生体情報モニタに接続され、前記複数の生体情報モニタにより計測された生体情報を受信するセントラルモニタであって、
前記複数の生体情報モニタのうちの第１の生体情報モニタからサポート要求信号を受信した場合に、前記複数の生体情報モニタのうち前記第１の生体情報モニタを除く全て又は一部の生体情報モニタに前記サポート要求信号を送信する。
【発明の効果】
【００１１】
本発明によれば、生体情報モニタを有効に活用して、サポートを要求する側に手間をかけさせることなく、速やかにサポートに適した医療従事者に来てもらうことができるクリティカルコールシステムを実現できる。
【図面の簡単な説明】
【００１２】
【図１】実施の形態に係る生体情報モニタの構成を示すブロック図
【図２】生体情報モニタを前面方向から見た外観図
【図３】実施の形態によるシステムの例を示す接続図
【図４】生体情報モニタの基本画像の一例を示す図
【図５】他の生体情報モニタから生体情報が送られてきたときの表示画像の例を示す図
【図６】他の生体情報モニタから生体情報が送られてきたときの表示画像の例を示す図
【図７】他の生体情報モニタから生体情報が送られてきたときの表示画像の例を示す図
【図８】他の生体情報モニタから生体情報が送られてきたときの表示画像の例を示す図
【図９】実施の形態のクリティカルコールシステムを手術フロアに適用した例を示す図
【発明を実施するための形態】
【００１３】
本発明の発明者は、以下の点に着目して、本発明に至った。
【００１４】
−  サポートが必要になる可能性がある重篤な患者には、生体情報モニタが取り付けられている可能性が非常に高い。生体情報モニタとは、患者の心拍数や血圧、呼吸数などの生体情報を計測し、この生体情報を数値または波形の形式でディスプレイに表示させることができる医療機器であり、一般にベッドサイドモニタと呼ばれるものである。
【００１５】
−  生体情報モニタを見ているのは医師や医療スタッフなどの医療従事者、特に重篤な患者を担当する医療従事者であり、つまりは緊急時に的確な対応が取れる医療従事者である。
【００１６】
−  生体情報モニタは、一対多の通信を容易に実現可能である。
【００１７】
このような点に着目して、本発明の発明者は、生体情報モニタを用いれば、サポートに来て欲しい医療従事者を簡単かつ速やかに呼ぶことができるクリティカルコールシステムを実現できると考え、本発明に至った。
【００１８】
すなわち、本発明の特徴は、生体情報モニタを有効に活用して、速やかにサポートに適した医療従事者に来てもらうことができるクリティカルコールシステムを実現したことにある。
【００１９】
以下、本発明の実施の形態について、図面を参照して詳細に説明する。
【００２０】
＜実施の形態１＞
図１は、本実施の形態の生体情報モニタ１００の構成を示すブロック図である。生体情報モニタ１００は、コネクタ部１０１を有する。コネクタ部１０１は、患者に装着された生体情報検出部を生体情報モニタ１００に接続するためのコネクタである。コネクタ部１０１には、心電図を検出するための心電電極１１１、血圧を検出するための血圧測定用カフ１１２、体温を検出するための体温センサ１１３、ＳｐＯ２を検出するためのＳｐＯ２センサ１１４、及び心拍出量を検出するための心拍出量センサ１１５等の生体情報検出部が接続される。コネクタ部１０１は、接続された生体情報検出部と計測処理部１０２との間のインタフェースとして機能する。
【００２１】
計測処理部１０２は、記憶部１０３に記憶されたプログラムを実行することで、所定の計測処理を実行する。この計測処理によって、計測処理部１０２は、コネクタ部１０１に接続された生体情報検出部（心電電極１１１、血圧測定用カフ１１２、体温センサ１１３、ＳｐＯ２センサ１１４及び心拍出量センサ１１５）を用いて患者の生体情報を計測する。なお、上記生体情報検出部を用いた各種生体情報の計測方法については従来周知のものを適用可能であるため、ここではその詳細な説明を省略する。また、計測処理部１０２は、過去に計測した生体情報を記憶部１０３に記憶させる動作、及び、記憶部１０３に記憶されている生体情報を読み出す動作を行うことができるようになっている。
【００２２】
ディスプレイ１０４は、計測処理部１０２によって得られた生体情報を、計測値又は波形の形式で表示する。ディスプレイ１０４は、計測処理部１０２によって得られた生体情報をリアルタイムで表示することができる。また、ディスプレイ１０４は、記憶部１０３に記憶されている生体情報を読み出し、過去の生体情報をトレンドグラフなどの形式で表示することもできる。
【００２３】
ディスプレイ１０４は、例えばタッチパネル付き液晶表示器であり、生体情報を表示する表示機能を有するだけでなく、操作者による入力操作を受け付ける入力部としての機能も有する。具体的には、ディスプレイ１０４は、操作者によるタッチ操作に従って、ディスプレイ１０４の表示形式や生体情報モニタ１００のモード変更などを行う。
【００２４】
さらに、生体情報モニタ１００は操作ボタン１２０を有する。操作ボタン１２０は、図２に示すように、生体情報モニタ１００の前面のディスプレイ１０４の近傍に設けられている。なお、図２は、生体情報モニタ１００を前面方向から見た外観図である。生体情報モニタ１００の筐体上部には、アラームインジケータ１０５が設けられている。アラームインジケータ１０５は、計測処理部１０２（図１）によって生体情報に異常が生じたと検知されたときに例えば赤色に発光するようになっている。
【００２５】
操作ボタン１２０は、複数のボタンにより構成されている。操作ボタン１２０としては、例えば電源スイッチ１２１や、測定開始／停止ボタン１２２、データ記録ボタン１２３、アラーム音停止ボタン１２４などが含まれる。
【００２６】
本実施の形態の場合、操作ボタン１２０の一つとして、サポート要求ボタン１２５が設けられている。サポート要求ボタン１２５が押圧操作されると、生体情報モニタ１００は、他の生体情報モニタにサポート要求信号を送信する。具体的には、生体情報モニタ１００は、サポート要求ボタン１２５が押圧操作されると、伝送処理部１０６によって他の生体情報モニタ宛のサポート要求信号を形成し、このサポート要求信号をネットワークインターフェース部１０７及び通信ネットワーク１３０を介して、通信ネットワーク１３０に接続された他の生体情報モニタ１００に送信する。このサポート要求信号には、受信側においてサポート要求信号であることを識別できる情報と、受信側においてサポート要求信号を発信した生体情報モニタ１００が置かれている場所を特定可能な情報と、が含まれている。送信した生体情報モニタ１００が置かれている場所を特定可能な情報としては、例えば、生体情報が計測された患者の名前や生体情報モニタの装置ＩＤ、病室名、手術室名などがある。
【００２７】
サポート要求信号を送られた他の生体情報モニタ１００は、サポート要求信号を通信ネットワーク１３０、ネットワークインターフェース部１０７及び伝送処理部１０６を介して受信し、サポート要求があったことを表示する。例えば、サポート要求があったことをディスプレイ１０４に表示する。あるいは、アラームインジケータ１０５を所定の色又は所定のパターンで発光させることでサポート要求があったことを表示する。さらに、サポート要求信号を送信した生体情報モニタ１００が置かれている場所を特定可能な情報（例えば患者名、装置ＩＤ、病室名、手術室名、フロア名など）を表示する。この場所を特定可能な情報の表示は、ディスプレイ１０４によって行ってもよいし、アラームインジケータ１０５の発光色や発光パターンによって行ってもよい。さらに、サポート要求があったことを音により喚起してもよい。
【００２８】
以上説明したように、本実施の形態によれば、生体情報モニタ１００に、サポート要求を行うための操作部（本実施の形態の場合、サポート要求ボタン１２５）と、この操作部が操作されたときに他の生体情報モニタ宛のサポート要求信号を形成して送信する送信部（本実施の形態の場合、伝送処理部１０６）とを設け、他の生体情報モニタにサポート要求信号を送信するようにしたことにより、サポートを要求する側に手間をかけさせることなく、速やかにサポートに適した医療従事者に来てもらうことができるクリティカルコールシステムを実現できる。
【００２９】
つまり、本実施の形態のクリティカルコールシステムを用いれば、サポートを求める側では、誰のサポートを求めるかや、その人がどこに居て、どのように呼び出せばよいかなどといった、煩雑な検討や手間をかけることなく、単にサポート要求ボタン１２５を押圧すればよい。一方で、サポート要求信号が送られる先の生体情報モニタを見ているのは医師や医療スタッフなどの医療従事者、特に重篤な患者を担当する医療従事者であり、緊急時に的確な対応が取れる医療従事者であるので、このような医療従事者に速やかにサポートに来てもらうことができるようになる。
【００３０】
なお、生体情報モニタの構成は、図１に示した構成に限らない。但し、サポート要求信号を送信する側の生体情報モニタは、他の生体情報モニタ群宛のサポート要求信号を形成して送信する送信部と、ユーザによる操作に応じて送信部からサポート要求信号を送信させる操作部と、を有する必要がある。また、サポート要求信号を受信する側の生体情報モニタは、サポート要求信号を受信する受信部と、サポート要求があったことを表示する表示部と、を有する必要がある。
【００３１】
また、上述の実施の形態では、生体情報モニタ１００の前面にサポート要求ボタン１２５を設けた場合について述べたが、サポート要求信号を送信させるための操作部はこれに限らず、例えばタッチパネル構成のディスプレイ上に操作エリアを表示し、その位置がタッチされるとサポート要求信号が送信される構成としてもよい。このことは、以下に説明する実施の形態でも同様である。
【００３２】
さらに、上述の実施の形態では、サポート要求があったことや、サポート要求信号を送信した生体情報モニタ１００が置かれている場所を医療従事者に知らせるために、生体情報モニタ１００に設けられたアラームインジケータ１０５を用いた場合について述べたが、アラームインジケータ１０５に代えて、アラームポールのような、生体情報モニタ１００に外付けで設けられた外部装置を用い、これを発光させることでサポート要求及び場所を知らせてもよい。
【００３３】
＜実施の形態２＞
本実施の形態では、ある生体情報モニタ１００のサポート要求ボタン１２５が操作された場合に、生体情報モニタ１００から他の生体情報モニタにサポート要求信号として又はサポート要求信号に加えて、生体情報モニタ１００で計測された生体情報を送ることを提示する。このようにすることで、実施の形態１と比較して、よりサポートに適した医療従事者が来てくれることを期待できる。
【００３４】
図３に、本実施の形態において想定するシステムの例を示す。図３ＡはベッドサイドモニタＢ１、Ｂ２、…、ＢｎがセントラルモニタＣ１を介して接続されている例であり、図３ＢはベッドサイドモニタＢ１、Ｂ２、…、Ｂｎ同士が直接接続されている例である。ベッドサイドモニタＢ１、Ｂ２、…、Ｂｎは、図１に示すように構成されている。
【００３５】
図３Ａに示す本実施の形態のセントラルモニタＣ１は、各ベッドサイドモニタＢ１、Ｂ２、…、Ｂｎにより計測された生体情報を各ベッドサイドモニタＢ１、Ｂ２、…、Ｂｎから受信し、それをディスプレイに表示したり記録するといったセントラルモニタ本来の機能に加えて、あるベッドサイドモニタ（例えばベッドサイドモニタＢ１）からサポート要求信号を受信すると、そのベッドサイドモニタ（例えばベッドサイドモニタＢ１）で計測された生体情報を他のベッドサイドモニタ（例えばベッドサイドモニタＢ２、…、Ｂｎ）に配信する機能を有する。つまり、セントラルモニタＣ１は、各ベッドサイドモニタＢ１、Ｂ２、…、Ｂｎにより計測された生体情報を常時受信しているが、サポート要求を行ったベッドサイドモニタ（例えばベッドサイドモニタＢ１）の生体情報を、他のベッドサイドモニタ（例えばベッドサイドモニタＢ２、…、Ｂｎ）に送信するようになっている。これにより、他のベッドサイドモニタ（例えばベッドサイドモニタＢ２、…、Ｂｎ）には、サポートを要求しているベッドサイドモニタ（例えばベッドサイドモニタＢ１）により計測された生体情報が表示される。
【００３６】
図３Ｂに示す本実施の形態のベッドサイドモニタＢ１、Ｂ２、…、Ｂｎは、あるベッドサイドモニタ（例えばベッドサイドモニタＢ１）のサポート要求ボタン１２５が操作されると、そのベッドサイドモニタ（例えばベッドサイドモニタＢ１）から他のベッドサイドモニタ（例えばベッドサイドモニタＢ２、…、Ｂｎ）に、サポート要求信号として又はサポート要求信号に加えて、自装置（例えばベッドサイドモニタＢ１）で計測された生体情報を送信するようになっている。これにより、他のベッドサイドモニタ（例えばベッドサイドモニタＢ２、…、Ｂｎ）には、サポートを要求しているベッドサイドモニタ（例えばベッドサイドモニタＢ１）より計測された生体情報が表示される。
【００３７】
次に、図４及び図５を用いて、生体情報モニタ１００のディスプレイ１０４に表示される生体情報の表示形態について説明する。
【００３８】
図４は、生体情報のモニタ中にディスプレイ１０４に表示される基本画像の一例を示す。図４の基本画像２１０は、患者情報表示領域２１１、波形表示領域２１２、計測値表示領域２１３及びメニューバー表示領域２１４からなる。このうち、波形表示領域２１２及び計測値表示領域２１３に、モニタ結果が表示される。
【００３９】
患者情報表示領域２１１には、患者名などの患者情報が表示される。波形表示領域２１２には、取得した各生体情報の波形が表示される。この例では、心電図（ＥＣＧ１、ＥＣＧ２）、酸素飽和度（ＳｐＯ２）、観血血圧（ＢＰ１、ＢＰ２）、呼吸気中の炭酸ガス濃度（ＣＯ２）、セボフルラン濃度（ＳＥＶ）、及び酸素濃度（Ｏ２）の各波形が、表示されている。表示対象の生体情報の種類及び表示位置は、設定操作により適宜変更可能である。計測値表示領域２１３には、各生体情報の計測値が数字として表示される。この例では、心拍数（ＨＲ）、酸素飽和度（ＳｐＯ２）、非観血血圧（ＮＩＢＰ）、観血血圧（ＢＰ１、ＢＰ２）、体温（Ｔ１：例えば直腸温）、皮膚温（ＴｓＫ）、吸気炭酸ガス濃度（ＩｎｓｐＣＯ２）、呼気終末炭酸ガス濃度（ＥｔＣＯ２）、呼吸気中の笑気ガス濃度（Ｎ２Ｏ）、呼吸数、呼吸気中のセボフルラン濃度（ＳＥＶ）、及び呼吸気中の酸素濃度（Ｏ２）の各計測値が、表示されている。表示対象の生体情報の種類及び表示位置は、設定操作により適宜変更可能である。
【００４０】
計測値表示領域２１３において、計測値が表示されている各枠内の領域は、ユーザが指で触れることによる操作入力を受け付ける入力領域となっている。例えば、心拍数の計測値が表示されている入力領域２１５に触れると、心電図のモニタリングに関連する設定操作用画像がポップアップ表示され、心電図のモニタリングに関連する設定操作が可能となる。このポップアップ画像は、基本画像２１０とは異なる画面レイヤに対応する画像として表示される。なお、操作入力は、画面上の入力領域に触れることによる操作入力に限られず、例えばマウスを用いて入力領域をクリックすることによる操作入力などであってもよい。
【００４１】
メニューバー表示領域２１４には、メニューバーが表示される。メニューバー表示領域２１４において、メニューバーを構成する「ホーム」及び「メニュー」などの各矩形領域は、入力領域となっている。例えば、「メニュー」という表記を有する入力領域２１６に触れると、モニタリング全般の設定操作メニューを提示する設定操作用画像がサブ画像として表示され、モニタリング全般の設定操作が可能となる。このサブ画像は、基本画像２１０とは異なる画面レイヤの画像として表示される。
【００４２】
図５−図８は、サポートを要求している生体情報モニタ１００から生体情報を受信したときの、ディスプレイ１０４における表示画像の例を示す。ディスプレイ１０４には、自装置により得た生体情報を含む基本画像２１０と同時に、サポートを要求している生体情報モニタ１００により計測されている生体情報を含むサブ画像３１０が表示される。このように、基本画像２１０とサブ画像３１０を同時に表示したことにより、自装置で計測されたた生体情報の監視を中断せずに、他装置で計測された生体情報を見ることができる。
【００４３】
基本画像２１０とサブ画像３１０は、図５−図８の例のように、ディスプレイ１０４の１画面を分割して、異なる領域に表示してもよく、サブ画像３１０を基本画像２１０の上に重ねて表示してもよい。要は、同一画面上に、自装置の生体情報とサポートを要求している他装置の生体情報とがリアルタイムで同時に表示されるように配置されていればよい。
【００４４】
図５は、基本画像２１０の縦横比を変えずに全体のサイズを縮小し、それによって空いたディスプレイ１０４の領域にサブ画像３１０を表示した例である。図６は、基本画像２１０における波形の感度を小さくすることで基本画像２１０の縦方向のサイズを縮小し、それによって空いたディスプレイ１０４の上下の領域（図６の場合には下の領域）にサブ画像３１０を表示した例である。図７は、基本画像２１０における波形の掃引速度を小さくすることで基本画像２１０の横方向のサイズを縮小し、それによって空いたディスプレイ１０４の左右の領域（図７の場合には右の領域）にサブ画像３１０を表示した例である。図８は、基本画像２１０における波形の掃引時間を小さくすることで基本画像２１０の横方向のサイズを縮小し、それによって空いたディスプレイ１０４の左右の領域（図８の場合には右の領域）にサブ画像３１０を表示した例である。
【００４５】
なお、基本画像２１０は、他装置の生体情報が送られてくる前に表示されていた基本画像２１０（図４）の内容（パラメータの数など）を削減しないことが好ましい。これに対して、サブ画像３１０は、基本画像２１０（図４）と比較してメニューバー表示領域２１４を有しておらず、波形表示領域２１２及び計測値表示領域２１３も最小限のものだけを有してもよい。具体的には、アラームされている波形及び又は計測値のみを表示することでもよい。つまり、サポートを要求している生体情報モニタ１００により計測された心電波形、血圧の情報、心拍数などの生体情報の全てを表示してもよいが、例えば心電波形がアラームされている場合には、心電波形のみをサブ画像３１０として表示してもよい。このようにすれば、基本画像２１０の表示領域が狭まるのを抑制しつつ、サポートを要求している他装置の生体情報のうち必要なものだけを表示できる。また、ディスプレイ１０４を見ている医療従事者は、他装置の生体情報のうちの必要なものだけを見ることができるようになる。
【００４６】
サブ画像３１０中に含めるべき情報は、アラームされている生体情報（例えば心電波形）と、サブ画像３１０を送信した生体情報モニタ１００がどこにあるかをディスプレイ１０４を見ている医療従事者が特定可能な情報と、である。サポートを要求している生体情報モニタ１００がどこにあるかを特定可能な情報としては、例えば、生体情報が計測された患者の名前や生体情報モニタの装置ＩＤ、病室名、手術室名、フロア名、病棟名などがある。本実施の形態では、サブ画像３１０において生体情報と共に患者の名前を表示するようになっている。表示された患者の名前から、生体情報を送信した生体情報モニタ１００がどこに置かれているかを推測できる。
【００４７】
次に、本実施の形態の動作について、図９を用いて説明する。以下の説明において生体情報モニタはベッドサイドモニタと読み換えることができる。また、以下の説明における生体情報モニタは、図３Ａに示したようにセントラルモニタを介して接続されていてもよく、図３Ｂに示したように直接接続されていてもよい。
【００４８】
図９は、本実施の形態のクリティカルコールシステムを、手術フロアに適用した例である。図の手術フロアは、複数の手術室４０１、４０２、４０３、４０４、４０５、４０６に分けられている。各手術室４０１、４０２、４０３、４０５、４０６には手術中の患者Ｐ−１、Ｐ−２、Ｐ−３、Ｐ−５、Ｐ−６とともに生体情報モニタ１００−１、１００−２、１００−３、１００−５、１００−６がそれぞれ置かれており、この生体情報モニタ１００−１、１００−２、１００−３、１００−５、１００−６を手術中の医療従事者５００−１、５００−２、５００−３、５００−５、５００−６がそれぞれ見ている。図９の例の場合、手術フロアは６つの手術室４０１、４０２、４０３、４０４、４０５、４０６に分けられている。６つの手術室４０１、４０２、４０３、４０４、４０５、４０６のうちの５つの手術室４０１、４０２、４０３、４０５、４０６には、手術されている患者Ｐ−１、Ｐ−２、Ｐ−３、Ｐ−５、Ｐ−６と、各患者Ｐ−１、Ｐ−２、Ｐ−３、Ｐ−５、Ｐ−６に取り付けられた生体情報モニタ１００−１、１００−２、１００−３、１００−５、１００−６とがある。各患者Ｐ−１、Ｐ−２、Ｐ−３、Ｐ−５、Ｐ−６は、医療従事者５００−１、５００−２、５００−３、５００−５、５００−６によって手術をうけている。
【００４９】
ここで、例えば手術室４０２の患者Ｐ−２の容体が悪くなり、その患者Ｐ−２の手術を行っている医療従事者５００−２がサポートを求めるために生体情報モニタ１００−２のサポート要求ボタン１２５（図１、図２）を押圧操作すると、生体情報モニタ１００−２で計測された生体情報が他の生体情報モニタ１００−１、１００−３、１００−５、１００−６に送信される。
【００５０】
すると、他の生体情報モニタ１００−１、１００−３、１００−５、１００−６のディスプレイ１０４には、図５−図８に示したように、自装置１００−１、１００−３、１００−５、１００−６で計測された生体情報を含む基本画像２１０と同時に、生体情報モニタ１００−２から送信された生体情報を含むサブ画像３１０が表示される。この結果、サブ画像３１０を見た医療従事者５００−１、５００−３、５００−５、５００−６は、サポートが求められている患者Ｐ−２がいることを認識でき、さらにその患者Ｐ−２の生体情報からその患者Ｐ−２の容体を認識できる。よって、サブ画像３１０を見ている医療従事者５００−１、５００−３、５００−５、５００−６は、生体情報を参照にして、自分がサポートに行くべきか否かを判断できる。さらに、基本画像２１０には、自分の担当患者Ｐ−１、Ｐ−３、Ｐ−５、Ｐ−６の生体情報も表示されているので、自分の担当患者Ｐ−１、Ｐ−３、Ｐ−５、Ｐ−６の状態も考慮しながらサポートに行くべきか否かを判断できる。
【００５１】
このように、本実施の形態のクリティカルコールシステムを用いれば、サポートを要求している生体情報モニタからの生体情報を受信した生体情報モニタを見ている医療従事者は、送られてきた生体情報を参照することで、自分がサポートに行くのに適した人材か否か、自分の患者の生体情報と比較して現在の患者を後回しにしてでもサポートに行くべきか否か、などを総合的に判断して、サポートに行くべきか否かを決定できる。このように、サポートに行くべきか否かの判断を受信側に委ねたことにより、緊迫した状態にあるサポートを求める側には手間をかけさせないクリティカルコールシステムを実現できる。
【００５２】
以上説明したように、本実施の形態によれば、サポート要求信号として又はサポート要求信号に加えて、サポートを要求している生体情報モニタで計測された生体情報を他の生体情報モニタに送るようにしたことにより、実施の形態１と比較して、よりサポートに適した医療従事者が来てくれることを期待できるようになる。
【００５３】
また、上述した実施の形態１、２のクリティカルコールシステムを用いれば、放送やＰＨＳを使っての呼び出しと比較して、呼び出される側の医療従事者の気を散らせることなく呼び出しを行うことができる。
【００５４】
また、生体情報モニタ１００を見ているのは、医療従事者なので、患者やその家族に患者の容体を気づかれて不安を増長させることなく、クリティカルコールを行うことができる。
【００５５】
因みに、上述した実施の形態１、２のクリティカルコールシステムは、配信側が一方的に情報を送りつける、所謂プッシュ型の情報配信を行っている。よって、実施の形態２における受信側の生体情報モニタ１００においては、通常は表示されていない他の患者の生体情報が突然表示されるので、その生体情報モニタ１００を見ている医療従事者は注意を喚起され、非常事態が起こっていることを認識できる。なお、これに加えて、生体情報を受信した場合に、アラームインジケータ１０５やディスプレイ１０４を警告色で発光させたり、警告音を発するようにしてもよい。このようにすれば、医療従事者はより注意を喚起されるので、サポートして欲しい患者がいることをより確実に認識できる。
【００５６】
なお、上述の実施の形態２では、本発明のクリティカルコールシステムを手術フロアに適用した例について述べたが、本発明はこれに限らず、要は、ネットワーク接続された複数の生体情報モニタ１００が配置されている病院内環境に広く適用できる。よって、本発明を用いれば、医療従事者が病院内のどこにいても、生体情報モニタ１００が近くにありさえすれば、適任者のサポートを要求することが可能となる。
【００５７】
また、サポート要求ボタン１２５が押圧されたときの、生体情報が送信される範囲を、予め設定できる構成にすると好ましい。例えば、生体情報が送信される範囲を、手術フロア、緊急病棟、循環器病棟及び又は救命センターなどに限定して設定すれば、不必要に広い範囲に生体情報を送信しなくてすむ。この結果、サポートに来る必要のない医療従事者を煩わせることなく、サポートに来て欲しい人のいる可能性の高い場所の生体情報モニタ１００のみに生体情報を送信できるようになる。
【００５８】
また、上述の実施の形態２では、サポート要求ボタン１２５が押圧操作されるとサポート要求信号を送信する構成としたが、サポート要求信号を送信するために必要な条件をさらに加えてもよい。例えば、サポート要求ボタン１２５が操作され、かつ、自装置（送信側装置）で生体情報に関するアラームが出力されたときに、サポート要求信号を送信するようにしてもよい。このようにすれば、サポート要求ボタン１２５を誤って押圧操作して、サポート要求信号を誤って送信してしまうことを防止できる。ここで、一般に、生体情報モニタは、生体情報がある閾値を超えたときに患者の容体が悪いことを示すアラームを出力する機能（例えばディスプレイ１０４上で警告色を表示したり、アラームインジケータ１０５を発光させたりする）を有しているので、この機能を用いればよい。
【００５９】
また、実施の形態２において、サポート要求ボタン１２５が押圧操作されたときに、アラームされている生体情報のみを送信するようにしてもよい。このようにすれば、他の生体情報モニタに、不必要な生体情報を表示しなくてすむようになる。
【００６０】
さらに、サポート要求ボタン１２５の押圧操作に応じて、ナースコールも行うことができる構成としてもよい。例えば、生体情報モニタ１００のアラームが出力されている状態でサポート要求ボタン１２５が押されると、他の生体情報モニタ１００にサポート要求信号が送信され、一方、アラームが出力されていない状態でサポート要求ボタン１２５が押されると、ナースコールを行うようにすればよい。また、サポート要求ボタン１２５を１回押すとナースコールを行い、複数回押すと他の生体情報モニタにサポート要求信号を送信するようにしてもよい。
【００６１】
また、例えばサポート要求ボタン１２５を１回押すとサポート要求信号を送信し、２回以上押すと送信先の生体情報モニタ１００にさらなるサポートの催促をするようなコントロール信号を送信するようにしてもよい。このコントロール信号は、例えば、ディスプレイ１０４上にサポートの催促をするようなメッセージを表示させる信号や、アラームインジケータ１０５を所定の発光パターンで発光させるための信号であり、受信側の生体情報モニタ１００をユーザの注意を喚起するように駆動する信号である。このようなコントロール信号を送信すれば、例えば生体情報を送信しただけでは望んでいたようなサポートが得られなかった場合に、未だサポートが不十分であることを受信側の生体情報モニタ１００を見ている医療従事者に伝えてサポートを催促できるようになる。
【００６２】
さらに、上述の実施の形態では、生体情報モニタがベッドサイドモニタ又はセントラルモニタである場合について述べが、生体情報モニタはベッドサイドモニタ又はセントラルモニタに限らない。例えば、サポート要求信号を送信する側の生体情報モニタは、患者の搬送時に使用される可搬型の生体情報モニタや、患者が携帯可能な医用テレメータの送信機、特に表示機能を備えた医用テレメータの送信機であってもよい。このような可搬型の生体情報モニタや医用テレメータの送信機はベッドサイドモニタの一種と捉えられ、これらに上述したようなサポート要求ボタンを設ければ、上述したのと同様の効果を得ることができる。また、患者に装着された表示機能を備えないテレメータからの生体情報を患者の近くで無線にて受信し、その生体情報を表示する機能を有する携帯型受信機であってもよい。このような携帯型受信機はセントラルモニタの一種と捉えられ、これに上述したようなサポート要求ボタンと共に、他の生体情報モニタへの送信機能を設ければ、上述したのと同様の効果を得ることができる。実際には、サポート要求信号を送信する側の生体情報モニタは、生体情報取得部と、サポート要求信号を送信するための送信部と、サポート要求信号を送信させるための操作部と、を有するものであればよい。
【００６３】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００６４】
本発明は、病院内で緊急時に医師や医療スタッフを呼び出すためのクリティカルコールシステムとして適用し得る。
【符号の説明】
【００６５】
１００  生体情報モニタ
１０１  コネクタ部
１０２  計測処理部
１０３  記憶部
１０４  ディスプレイ
１０５  アラームインジケータ
１０６  伝送処理部
１０７  ネットワークインターフェース部
１２０  操作ボタン
１２１  電源スイッチ
１２２  測定開始／停止ボタン
１２３  データ記録ボタン
１２４  アラーム音停止ボタン
１２５  サポート要求ボタン
１３０  通信ネットワーク
２１０  基本画像
２１１  患者情報表示領域
２１２  波形表示領域
２１３  計測値表示領域
２１４  メニューバー表示領域
２１５、２１６  入力領域
３１０  サブ画像
４０１〜４０６  手術室
５００−１、５００−２、５００−３、５００−５、５００−６  医療従事者
Ｐ−１、Ｐ−２、Ｐ−３、Ｐ−５、Ｐ−６  患者
【図１】
2015029564.tif 000003
【図２】
2015029564.tif 000004
【図３】
2015029564.tif 000005
【図４】
2015029564.tif 000006
【図５】
2015029564.tif 000007
【図６】
2015029564.tif 000008
【図７】
2015029564.tif 000009
【図８】
2015029564.tif 000010
【図９】
2015029564.tif 000011